(57)【要約】【課題】バックアップデータの世代管理方法を提供する。【解決手段】ストレージシステムにおいて、１つのボリュームを起源とした複数のペアに作成するバックアップデータの世代管理を、記憶制御装置により行う方法であって、前記記憶制御装置が、前記ペアにおける正・副ボリューム間の同期を停止するスプリット要求を、当該スプリットのバージョン情報とともにホストコンピュータより受付けるステップと、前記スプリット要求に応じて、該当ペアにおける正・副ボリューム間のバックアップを実行し、当該ペアの同期を停止するスプリット処理を実行するステップと、前記スプリット処理のバージョン情報をペア毎に所定記憶部に記憶するステップと、を含むことを特徴とするバックアップデータの世代管理方法。【選択図】      図３
2004164318.tif 000002
【特許請求の範囲】
【請求項１】
ストレージシステムにおいて、１つのボリュームを起源とした複数のペアに作成するバックアップデータの世代管理を、記憶制御装置により行う方法であって、前記記憶制御装置が、
前記ペアにおける正・副ボリューム間の同期を停止するスプリット要求を、当該スプリットのバージョン情報とともにホストコンピュータより受付けるステップと、
前記スプリット要求に応じて、該当ペアにおける正・副ボリューム間のバックアップを実行し、当該ペアの同期を停止するスプリット処理を実行するステップと、
前記スプリット処理のバージョン情報をペア毎に所定記憶部に記憶するステップと、
を含むことを特徴とするバックアップデータの世代管理方法。
【請求項２】
正ボリュームを副ボリュームの内容に復元するリストア要求を、リストアを望むバージョン情報とともにホストコンピュータより受付けるステップと、
前記受け付けたバージョン情報を、前記記憶部に記憶されている前記スプリット処理のバージョン情報と照合し、適合するスプリット処理のバージョン情報を認識するステップと、
前記認識したバージョン情報に対応する副ボリュームを正ボリュームへコピーしリストア処理を行うステップと、
を含むことを特徴とする請求項１に記載のバックアップデータの世代管理方法。
【請求項３】
前記リストア要求をホストコンピュータより受付けるステップにおいて、当該リストア要求にバージョン情報が伴っていなかった場合、
前記記憶部に記憶されているスプリット処理のバージョン情報を抽出し、ホストコンピュータに通知するステップと、
前記通知したバージョン情報中より選択されたバージョン情報をホストコンピュータより受け付けて、リストア対象のバージョン情報とするステップと、
を含むことを特徴とする請求項２に記載のバックアップデータの世代管理方法。
【請求項４】
前記スプリット要求に応じたスプリット処理のバージョン情報をホストコンピュータに通知するステップを含むことを特徴とする請求項１に記載のバックアップデータの世代管理方法。
【請求項５】
前記バージョン情報に、ホストコンピュータ起源の時刻情報およびユーザ指定のバージョンＩＤの少なくともいずれかを含めることを特徴とする請求項１に記載のバックアップデータの世代管理方法。
【請求項６】
請求項１〜５のいずれかに記載のバックアップデータの世代管理方法に用いる記憶制御装置であって、
通信手段により接続するホストコンピュータからの要求に応じて前記正ボリュームおよび副ボリュームにデータを読み書きする手段と、前記各ステップを実行する手段とを備えることを特徴とする記憶制御装置。
【発明の詳細な説明】
【０００１】
【発明の属する技術分野】
本発明は、ストレージシステムにおいて、１つのボリュームを起源とした複数のペアに作成するバックアップデータの世代管理を、記憶制御装置により行う方法、および記憶制御装置に関する。
【０００２】
【従来の技術】
ストレージシステムにおいて、ホストコンピュータソフトウェアの介在なしに独立して使用可能な複製ボリュームを生成する機能が実現されている。ここにおける記憶制御装置は、外部からの指示を受けて例えば或る論理ボリューム（正ボリューム）のコピーを記憶制御装置内で実施して副ボリュームを生成し、正・副ボリュームのペアを形成する。
【０００３】
形成されたペアにおける正・副ボリューム間の同期を停止して各ボリュームがアクセス可能となるスプリット状態とすることで、例えば正ボリュームと副ボリュームとの間でのリシンク処理が停止される一方、正・副ボリューム各々の独立使用が可能となる。例えば正ボリュームでオンライン業務を継続しながら副ボリュームでバッチ業務やバックアップ取得を行うなどといった並行処理を行うことが可能になり、ストレージシステムの可用性向上が図られる。
【０００４】
前記バックアップの処理に伴って、元のファイルを現在時間から一定時間遡った時点の状態に容易にリストア可能にする発明が提案されている。例えば、任意のファイルのバックアップコピーを生成するバックアップコピー生成工程と、バックアップコピー生成工程で生成したバックアップコピーを用いて元のファイルをリストアするリストア工程とを有し、ファイルを現在時刻から任意の時間遡った過去の時点の状態にリストアできるように、リストア対象のファイルおよび現在時刻から過去の時点までの時間を指定してリストア工程の実行を指定する工程と、リストア工程の実行が指定された場合に、リストア対象として指定されたファイルおよび指定された時間に基づいて該当するバックアップコピーを選択し、リストア工程の実行を制御する工程と、を含むバックアップ・リストア方法が提案されている（特許文献１参照）。
【０００５】
【特許文献１】
特開平１１−１３４２３４号公報
【０００６】
【発明が解決しようとする課題】
しかしながら、“元のファイルを現在時間から一定時間遡った時点の状態にリストアする”としても、各処理の基準となる時刻の同期を考慮しているわけではなかった。例えば、ホストコンピュータはファイルの更新時刻を管理することができるし、記憶制御装置はコマンドを受領した時刻を管理することができる。ところが、各装置の時刻を示す手段には誤差が存在し、また、各装置間で時刻の同期を図ることがないため、上記のようなリストア処理を行うとしても不都合が生じることも想定された。
【０００７】
これは例えば、次のような場合を示している。（１）ホストコンピュータの時計は、記憶制御装置の時計よりも１０分進んでいる。（２）ホストコンピュータの時計が午後２時を指したとき、バックアップを採取した。バックアップデータの時刻は記憶制御装置の時計から取得した時刻がつけられ午後１時５０分となっている。（３）最終更新時刻が午後１時５５分のファイルがある。最終更新時刻はホストコンピュータの時計から取得した時刻である。（４）本来、（３）のファイルは、バックアップデータよりも古いが、バックアップデータについている時刻を見ると、新しいことになっている。
【０００８】
つまり、従来手法のように“一定時間遡って”リストア処理等を行うとする場合、例えば記憶制御装置から得られる時刻を用いて処理を実行すると、ホストコンピュータが管理するファイルやバックアップデータが時系列的に正しい処理形態をとれないという弊害が発生する惧れがあった。
【０００９】
また、上記した副ボリュームを正ボリュームのバックアップとして使用する場合、ある正ボリュームに由来する副ボリュームを複数生成して運用する際には別の問題が生じてくる。つまり、それら複数の副ボリュームの世代管理が実現されていない問題である。所定時点でバックアップデータを生成し、それを各副ボリュームに順次格納する状況下では、たとえばホストコンピュータからリストア要求等を受けても、どの副ボリュームに基づいてリストア処理を行えばよいのか認識するに際し、各副ボリュームのデータ内容を逐一チェックして該当副ボリュームを検索する処理が必要となった。つまり、処理時間が長くなって処理効率や管理コストが悪化するとともにシステムへの負荷が増大してしまう惧れが生ずる。
【００１０】
そこで本発明はこのような経緯に基づいてなされたもので、効率的で運用性に優れたバックアップデータの世代管理方法を提供することを目的とする。
【００１１】
【課題を解決するための手段】
上記目的を達成する本発明のバックアップデータの世代管理方法は、ストレージシステムにおいて、１つのボリュームを起源とした複数のペアに作成するバックアップデータの世代管理を、記憶制御装置により行う方法であって、前記記憶制御装置が、前記ペアにおける正・副ボリューム間の同期を停止するスプリット要求を、当該スプリットのバージョン情報とともにホストコンピュータより受付けるステップと、前記スプリット要求に応じて、該当ペアにおける正・副ボリューム間のバックアップを実行し、当該ペアの同期を停止するスプリット処理を実行するステップと、前記スプリット処理のバージョン情報をペア毎に所定記憶部に記憶するステップと、を含むことを特徴とする。
その他、本願が開示する課題、及びその解決方法は、発明の実施の形態の欄及び図面により明らかにされる。
【００１２】
【発明の実施の形態】
本明細書の記載により、少なくとも次のことが明らかにされる。
前記バックアップデータの世代管理方法において、正ボリュームを副ボリュームの内容に復元するリストア要求を、リストアを望むバージョン情報とともにホストコンピュータより受付けるステップと、前記受け付けたバージョン情報を、前記記憶部に記憶されている前記スプリット処理のバージョン情報と照合し、適合するスプリット処理のバージョン情報を認識するステップと、前記認識したバージョン情報に対応する副ボリュームを正ボリュームへコピーしリストア処理を行うステップと、を含むこととできる。これによれば、リストア対象を簡便迅速かつ効率的に認識しその処理を実行することが可能となる。
【００１３】
前記バックアップデータの世代管理方法において、前記リストア要求をホストコンピュータより受付けるステップにおいて、当該リストア要求にバージョン情報が伴っていなかった場合、前記記憶部に記憶されているスプリット処理のバージョン情報を抽出し、ホストコンピュータに通知するステップと、前記通知したバージョン情報中より選択されたバージョン情報をホストコンピュータより受け付けて、リストア対象のバージョン情報とするステップと、を含むこととできる。これによれば、リストア要求にバージョン情報が付帯していない場合でもこれを取得することが出来る。
【００１４】
前記バックアップデータの世代管理方法において、前記スプリット要求に応じたスプリット処理のバージョン情報をホストコンピュータに通知するステップを含むこととできる。これによれば、バックアップ処理の状況を通知することが出来る。
【００１５】
前記バックアップデータの世代管理方法において、前記バージョン情報に、ホストコンピュータ起源の時刻情報およびユーザ指定のバージョンＩＤの少なくともいずれかを含めることとできる。これによれば、バックアップデータの世代を時間とＩＤとのいずれかまたは両方で指定することが出来る。
【００１６】
バックアップデータの世代管理方法に用いる記憶制御装置であって、通信手段により接続するホストコンピュータからの要求に応じて前記正ボリュームおよび副ボリュームにデータを読み書きする手段と、前記各ステップを実行する手段とを備えることを特徴とする記憶制御装置。これによれば、本発明のバックアップデータの世代管理方法を実現可能となる。
【００１７】
図１は本実施形態のバックアップデータの世代管理方法を説明するシステムの概略構成を示す図である。このシステムは、ホストコンピュータ１０１、記憶制御装置１０６、記憶装置１１５〜１１８などを備えて構成される。ホストコンピュータ１０１は、例えば、汎用コンピュータやパーソナルコンピュータなどで構成され、ＳＡＮ、ＬＡＮなどのネットワークを介して記憶制御装置１０６が接続される。ホストコンピュータ１０１と記憶制御装置１０６との間のデータ通信は、両者を結ぶＳＡＮやＬＡＮといったネットワークのプロトコルに応じて通常制御されるものとし、以下の説明中でその通信手順の詳細は省略する。
【００１８】
またホストコンピュータ１０１は、ユーザが使用し、その入出力インターフェイスとなりうるユーザアプリケーション１０２と、記憶制御装置１０６に対するスプリット要求を発行するスプリット要求発行部１０３、同じくリストア要求を発行するリストア要求発行部１０５を備えている。また、前記各発行部１０３、１０５に時刻情報を提供可能な時刻管理部１０４も備わる。
【００１９】
記憶制御装置１０６はＣＰＵやホストコンピュータ１０１との間の入出力インタフェース（いずれも図示しない）を備えるのは勿論のこと、キャッシュメモリ１０７、共有メモリ１１３、キャッシュ制御やデータ転送制御などを行うチャンネルアダプタ（ＣＨＡと記載）１０９、記憶装置への入出力制御を行うディスクアダプタ（ＤＫＡと記載）１０８、などを備えている。なお、前記チャンネルアダプタ１０９は、ホストコンピュータ１０１からのコマンドを受領するコマンド受領部１１０、バックアップやリストアに伴う正・副ボリューム間でのコピー処理を制御するコピー制御部１１１、ならびに各副ボリュームにおけるバージョン情報（後述する）をホストコンピュータに通知するバージョン情報通知部１１２を備える。
【００２０】
記憶制御装置１０６は、ホストコンピュータ１０１からの各種要求に応じて共有メモリ１１３等に記録した各種制御情報を、各装置等を接続するバス１２０を介して記憶装置１１５〜１１８の各ディスクアダプタ１０８に伝達し各記憶装置の制御を実行する。なお、前記の制御情報は、実際にはチャネルアダプタ１０９やディスクアダプタ１０８の備えるプロセッサで使用される。
【００２１】
記憶装置は記憶デバイスとしてのディスクアレイ装置であり、図中には記憶装置１１５〜１１８までの複数の記憶装置を示している。これらの記憶装置１１５〜１１８はＳＣＳＩなどのインタフェースを介して記憶制御装置１０６のディスクアダプタ１０８に接続する。記憶制御装置１０６は、これら複数台の記憶装置１１５〜１１８の記憶エリアを用いて編成される論理ユニット、およびこの論理ユニット内に区画されたデータブロックを用いて記憶装置により提供される記憶エリアの管理を行っている。なお、論理ユニットはＬＵＮ（Ｌｏｇｉｃａｌ  Ｕｎｉｔ  Ｎｕｍｂｅｒ）で識別され、また、データブロックはブロックアドレスで指定される。
【００２２】
図２は本実施形態におけるペア管理情報テーブルの一例を説明する図である。記憶制御装置１０６が、正ボリュームに対してそのバックアップデータを格納する副ボリュームを生成した場合、この正・副ボリュームのペアにまつわる情報（ペア管理情報２００）の管理を行う必要がある。そこで、各ペア毎にペア番号２０１を設定し、このペア番号２０１におけるペア状態２０２、正ボリューム番号２０３、副ボリューム番号２０４、ならびにバージョン情報２０５を関係付けて更新管理する。
【００２３】
バージョン情報２０５は、ホストコンピュータ１０１からのスプリット要求に応じて各ペアの正・副ボリューム間でなされたスプリット処理ないしバックアップのバージョンを記述する情報である。この情報には、例えばユーザもしくは記憶制御装置１０６等が任意に定めたバージョンナンバー２０６や、当該処理が行われた時刻情報たるタイムスタンプ２０７といった情報が含まれる。なお、このタイムスタンプ２０７はホストコンピュータ１０１の時刻管理部１０４起源のものであり、リストア処理等の契機や基準となる。
【００２４】
上記ペア管理情報２００は、制御用の情報として共有メモリ１１３のペア管理情報記憶部１１４に記録される。ペア毎のペア状態２０２には、例えば正ボリュームと副ボリュームとの間での複製（初期コピー）中であるペンディング状態、前記初期コピーが終了した状態であるデュプレックス状態、正・副ボリューム間のペアを分割し副ボリュームの使用が可能となるスプリット状態等が設定出来る。図中のペア番号１のペアに関して言えば、ボリューム番号１なる正ボリュームと同２０番なる副ボリュームとの間でペア設定はなされ、正・副ボリューム間のペアを分割し副ボリュームの使用が可能となるスプリット状態となっている。
【００２５】
図３は本実施形態のバックアップデータの世代管理方法を説明するフロー図であり、図４は本実施形態のバックアップデータの世代管理方法における複数のペア構成を説明する図である。つぎに、以上の構成からなるシステムにおいて実行される、本発明のバックアップデータの世代管理方法について説明する。ここでは、図４の通り、正ボリューム４００としての記憶装置に対し、ペア１〜Ｎまでの各ペアを構成する副ボリューム４１０〜４１３としての記憶装置が生成された状況を想定する。
【００２６】
ホストコンピュータ１０１が、あるペアにおける正・副ボリューム間の同期を停止するスプリット要求を、当該スプリットのバージョン情報とともに記憶制御装置１０６に発したとする。例えば、このスプリット要求には、バージョン情報と、スプリットを要求する論理ボリュームのＩＤとが記述されている。図５にホストコンピュータ１０１から記憶制御装置１０６に送られる情報のパラメータ例１を示している。この図で示すように、例えば、スプリット要求が記述されたコマンドコード５０１（或いはリストア要求）、ホストコンピュータ１０１の時刻管理部１０４起源のタイムスタンプ５０２、処理対象となるペアを構成する正ボリューム番号５０３、および副ボリューム番号５０４からパラメータ構成される。他にも、図６のパラメータ例２に示すように、例えば、スプリット要求が記述されたコマンドコード６０１（或いはリストア要求）、ホストコンピュータ１０１の時刻管理部１０４起源のタイムスタンプ６０２、バックアップ対象のデータやアプリケーションプログラム等の開発バージョンといった世代管理補助情報６０３、処理対象となるペアを構成する正ボリューム番号６０４、および副ボリューム番号６０５からパラメータ構成するとしてもよい。
【００２７】
記憶制御装置１０６は、チャンネルアダプタ１０９におけるコマンド受領部にてこのスプリット要求を受領する（ｓ３１０）。そして、ペアを指定する前記論理ボリュームＩＤに基づき、ペア１〜Ｎ中より該当ペアを認識する（ｓ３０２）。ここで該当するペアが認識できなかったならば、指定のペアは存在しないものとし（ｓ３０３：ＮＯ）、パラメータ不正である旨をホストコンピュータ１０１に返す（ｓ３０４）。
【００２８】
一方、該当ペアが認識できた場合（ｓ３０３：ＹＥＳ）、この該当ペアにおける正ボリュームから副ボリュームへのコピー処理をコピー制御部１１１が行って、バックアップ処理を実行する（ｓ３０５）。図４で、例えば該当ペアがペア１であり、このペアを構成する正ボリューム４００から副ボリューム４１０へとデータのコピーが行われる。
【００２９】
バックアップが実行されたならば、ホストコンピュータ１０１より指定された前記バージョン情報を、例えば前記ペア１に対応付けし、前記ペア管理情報記憶部１１４に記憶する（ｓ３０６）。このバージョン情報は、バックアップが行われた日時の情報であったり、或いはバックアップの世代を示すバージョンナンバーである。先に説明した図２のペア管理情報２００でば、例えばペア１のバージョン情報２０５において、「Ｖｅｒ．００２」なるバージョンナンバーと「２００２／０７／０７／１５：００」なるタイムスタンプ２０７とが記録される。このバージョン情報はホストコンピュータ１０１へ通知することも出来る。
【００３０】
例えばアプリケーションプログラムの開発を正ボリューム４００で行っている場合、所定期間毎に、あるいは開発プログラムのバージョン毎にバックアップを行っておく必要がある。したがって、上述したバックアップの処理を、適宜なタイミングで繰り返し、その内容が変わらずとも、少なくともバージョン情報の異なる副ボリューム４１０〜４１３を各々生成する。
【００３１】
なお、スプリット要求に際してホストコンピュータ１０１よりバージョン情報を指定されずとも、記憶制御装置１０６がバージョン情報を生成するとしてもよい。
【００３２】
上記したように正ボリュームと副ボリュームとの同期が切れ、例えば正ボリュームをアプリケーションが所定期間使用すると、その内容に変更が生じる。ある時点でこの正ボリューム４００を、前記ペア１〜Ｎを構成する副ボリューム４１０〜４１３のいずれかにリストア（復元）する必要が生じたならば、この契機にホストコンピュータ１０１はリストア要求を発行する。このリストア要求に際してホストコンピュータ１０１から記憶制御装置１０６へ送られる情報は、既に上記したように図５または図６に示すにパラメータ構成からなる。
【００３３】
記憶制御装置１０６はこのリストア要求を、リストアを望むバージョン情報とともにコマンド受領部１１０にて受付ける（ｓ３０７；ＹＥＳ）。このリストア要求がなければ前記スプリット状態が継続する（ｓ３０７：ＮＯ）。この受け付けたリストア要求にバージョン情報が付帯していれば（ｓ３０８：ＹＥＳ）、これを前記ペア管理情報記憶部１１４に記憶されている前記スプリット処理のバージョン情報２０５と照合する（ｓ３１２）。
【００３４】
他方、リストア要求にバージョン情報が含まれていなかった場合（ｓ３０８：ＮＯ）、ペア管理情報記憶部１１４より、当該記憶部が記憶しているバージョン情報を抽出し（ｓ３０９）、このリストをホストコンピュータ１０１に通知する（ｓ３１０）。ホストコンピュータ１０１のユーザはこの中から適合するスプリット処理のバージョン情報を選択し、記憶制御装置１０６に返す。記憶制御装置１０６はこれを受け付けて（ｓ３１１）、前記ステップｓ３１２の照合処理に供する。
【００３５】
前記受け付けたバージョン情報に該当するペア管理情報３００中で検索されたならば（ｓ３１３：ＹＥＳ）、該当する副ボリュームを認識する（ｓ３１５）。他方、該当する情報が検索されなければ（ｓ３１３：ＮＯ）、その旨をホストコンピュータ１０１に通知し（ｓ３１４）、リストア要求の受付ステップまで処理を戻す。例えば、リストア要求に含まれたバージョン情報が、「Ｖｅｒ．００２」であった場合、前記ペア管理情報記憶部１１４におけるペア管理情報３００中で、同じバージョンナンバーを有する「ペア１」が検索される。そこで、ペア１を構成するのは副ボリューム番号が「２０」である副ボリューム４１０を認識できる。
【００３６】
前記バージョン情報「Ｖｅｒ．００２」に対応する副ボリューム４１０を認識したならば、記憶制御装置１０６におけるコピー制御部１１１は、副ボリューム４１０の正ボリューム４１０へのコピーを実行しリストア処理を行う（ｓ３１６）。
【００３７】
＜その他＞
以上の実施例では、ホストコンピュータ１０１がスプリット要求、バックアップ要求を発行するにしているが、記憶制御装置１０６がこれら要求を発行する構成であってもよい。
【００３８】
また、記憶制御装置１０６と記憶装置１１５〜１１８とを別体で構成しているが、これらは一体的に構成されていてもよい。
【００３９】
記憶装置１１５〜１１８は、ディスクアレイ装置に限られる訳ではなく、半導体ディスク装置など他にも様々なものが考えられる。
【００４０】
また、記憶制御装置１０６にアクセス可能な装置をホストコンピュータ１０１に限定したり、或いはそのアクセス内容をデータパケットの属性等に応じて制御することで、記憶制御装置１０６のセキュリティを確保するとしてもよい。なお、本発明においてはバックアップデータの世代管理にかかる処理を記憶制御装置１０６内にて行うため、もとより良好なセキュリティを奏する。
【００４１】
更に、記憶制御装置１０６が論理ユニット単位でバックアップやリストア処理等を行っている場合について説明したが、当然のことながら物理ユニット単位でこれらの処理を行っている場合にも適用することができる。
【００４２】
本発明の実施の形態によれば、次の効果を奏する。
複数の副ボリュームの世代管理を実現し、バックアップのバージョン情報を確実に管理し、また、ホストコンピュータからのリストア要求に応じて該当バージョンの副ボリュームに基づくリストア処理を簡便迅速かつ効率的に実行することが可能となる。しかも、これら世代管理は、ホストコンピュータを煩わすことなく記憶制御装置が一括して行うため、管理コストや管理効率が良好となる上、外部からのアクセスを適宜抑止してセキュリティ向上にも資する。加えて、ホストコンピュータ側から得られる時刻を採用することで、ホストコンピュータと記憶制御装置側との時系列上の齟齬を解消し、バックアップデータを時系列的に正しい形態で処理することが可能となる。
【００４３】
以上、本発明の実施の形態について、その実施の形態に基づき具体的に説明したが、これに限定されるものではなく、その要旨を逸脱しない範囲で種々変更可能である。
【００４４】
【発明の効果】
本発明によれば、バックアップデータの世代管理方法を提供可能となる。
【図面の簡単な説明】
【図１】本実施形態のバックアップデータの世代管理方法を説明するシステムの概略構成を示す図である。
【図２】本実施形態におけるペア管理情報テーブルの一例を説明する図である。
【図３】本実施形態のバックアップデータの世代管理方法を説明するフロー図である。
【図４】本実施形態のバックアップデータの世代管理方法における複数のペア構成を説明する図である。
【図５】ホストコンピュータから記憶制御装置に送られる情報のパラメータ例１を示す図である。
【図６】ホストコンピュータから記憶制御装置に送られる情報のパラメータ例２を示す図である。
【符号の説明】
１０１  ホストコンピュータ
１０２  ユーザアプリケーション
１０３  スプリット要求発行部
１０４  時刻管理部
１０５  リストア要求発行部
１０６  記憶制御装置
１０７  キャッシュ
１０８  ディスクアダプタ
１０９  チャンネルアダプタ
１１０  コマンド受領部
１１１  コピー制御部
１１２  バージョン情報通知部
１１３  共有メモリ
１１４  ペア管理情報記憶部
１１５〜１１８  記憶装置
１２０  バス
２００  ペア管理情報
２０５  バージョン情報
【図１】
2004164318.tif 000003
【図２】
2004164318.tif 000004
【図３】
2004164318.tif 000005
【図４】
2004164318.tif 000006
【図５】
2004164318.tif 000007
【図６】
2004164318.tif 000008